(57)【要約】      （修正有）【課題】簡単な構成により、効率的に浴槽水等を活水化させることなどが可能な活水装置を提供する。【解決手段】粒子状のトルマリン２と、永久磁石３と、これらを収容するケーシング４と、ケーシングの少なくとも一部を覆う金箔４ｋとを備える活水装置。金箔による外観の美しさ、及び鎮静効果が得られ、金箔による血液循環効果等によりトルマリンの効果を増強できる。ケーシングは、収容部４ｊに収容される粒子状のトルマリンより小径の開口部が複数穿設され、収容部とケーシングの外部とを連通させる網状部と、収容部内で永久磁石を支持する支持部４ｅとを有することが好ましい。ケーシングは、永久磁石の外側に、永久磁石の磁力の遮蔽手段５と、永久磁石の表面を覆う被覆手段６を備えることが好ましい。粒子状のトルマリンは、トルマリン鉱石を破砕して２ｍｍ以上、５ｍｍ以下の粒径としたものが好適である。【選択図】図２
0003114198.tif 000002
【実用新案登録請求の範囲】
【請求項１】
粒子状のトルマリンと、
永久磁石と、
前記粒子状のトルマリン及び前記永久磁石を収容するケーシングと、
該ケーシングの少なくとも一部を覆う金箔とを備えることを特徴とする活水装置。
【請求項２】
前記ケーシングは、前記収容部に収容される前記粒子状のトルマリンより小径の開口部が複数穿設され、前記収容部と該ケーシングの外部とを連通させる網状部と、前記収容部内で前記永久磁石を支持する支持部とを有することを特徴とする請求項１に記載の活水装置。
【請求項３】
前記ケーシングは、前記永久磁石の外側に、該永久磁石の磁力の遮蔽手段を備えることを特徴とする請求項１又は２に記載の活水装置。
【請求項４】
前記永久磁石の表面を覆う被覆手段を備えることを特徴とする請求項１、２又は３記載の活水装置。
【請求項５】
前記粒子状のトルマリンは、トルマリン鉱石を破砕して２ｍｍ以上、５ｍｍ以下の粒径としたものであることを特徴とする請求項１乃至４のいずれかに記載の活水装置。
【考案の詳細な説明】
【技術分野】
【０００１】
本考案は、トルマリン等を用いて浴槽水等を活水化させるための活水装置に関する。
【背景技術】
【０００２】
トルマリンは、「電気石」とも呼ばれ、結晶体に圧力を加えると電圧を発生させ、温度変化により表面に電荷を生じるなどの特性を有する。このトルマリンは、水に触れると、水分子を水素イオン（Ｈ+）と水酸イオン（ＯＨ-）とに分離する。そして、水素イオンは、マイナス電極に引きつけられ、そこから放出される電子と結合して水素ガスとなり、水をアルカリ化する。一方、水酸イオンは、周囲の水分子と結合し、界面活性物質であるヒドロキシルイオン（Ｈ3Ｏ2-）に変化する。
【０００３】
また、トルマリンからは、人体に有用なカルシウム（Ｃａ）、マグネシウム（Ｍｇ）、鉄（Ｆｅ）、ケイ素（Ｓｉ）、ホウ素（Ｂ）等のミネラル分を溶出させる作用があるとともに、水分子の集団を小さくする作用、すなわち、水のクラスターを小さくする作用もあるといわれている。
【０００４】
上記特徴を有するトルマリンで処理した水を飲料水としたり、浴槽水として用いると、新陳代謝を活発にしたり、血液浄化、血行促進等に効果的であり、鎮静作用及び温熱作用もあり、細胞を活性化したり、情緒を安定にするなど人体に有益であることが知られている。
【０００５】
一方、磁場に水を通すと、磁気流体力の作用によって水の分子構造が変化し、クラスタが細分化され、保湿、浸透、溶解、洗浄、抗菌、熱伝導率等に優れた磁気水に改質される。この磁気水は、飲用水としてのみならず、調理や食器等の洗浄、入浴にも効果的であり、動植物の成育を向上させるなどの効果もあることが知られている。
【０００６】
そこで、トルマリンと磁石の両方の効果を同時に得るため、両者を組み合わせ、洗面器、浴槽等に沈めることにより、洗顔、入浴の効果を高めるようにした生活用水の浄化法（特許文献１参照）、美容器（特許文献２参照）が提案されている。
【０００７】
また、トルマリン及び磁石の上記特性をさらに効果的に発揮させるため、特許文献３には、風呂水を強制循環させる手段を取り入れ、まず、風呂水にトルマリンを作用させ、その上で永久磁石により磁気水化する２段構成としたイオン発生器が提案されている。
【特許文献１】特開平９−４７７６６号公報
【特許文献２】特開平１０−３０５０７３号公報
【特許文献３】特開２００２−１２６７６５号公報
【考案の開示】
【考案が解決しようとする課題】
【０００８】
しかし、特許文献１に記載の生活用水の浄化法では、トルマリンを含む複合鉱物を用いて磁場を形成しているが、磁場の平均ガウスが、５０〜６５０と小さいため、浴槽水等を活水化させるにあたって、磁気流体力の作用による効果を充分に得ることができないおそれがあった。
【０００９】
また、特許文献２に記載の美容器では、トルマリン鉱石を粉砕して他のセラミックス原料と混合し、半月状に成形して約８００℃程度で焼結させた焼結体としているが、トルマリンは、６５０〜１０５０℃で加熱すると、水をアルカリ化する効果が失われ、遠赤効果しか得られないという問題があった。
【００１０】
さらに、特許文献３に記載の風呂水のイオン発生器は、風呂水を強制循環させるため、ポンプが必要になるとともに、イオン発生器自体も構造が複雑で、製造コストが上昇するという問題があった。
【００１１】
そこで、本考案は、上記従来の活水装置等における問題点に鑑みてなされたものであって、簡単な構成により、効率的に浴槽水等を活水化させることのできる活水装置を提供することを目的とする。
【課題を解決するための手段】
【００１２】
上記目的を達成するため、本考案は、活水装置であって、粒子状のトルマリンと、永久磁石と、前記粒子状のトルマリン及び前記永久磁石を収容するケーシングと、該ケーシングの少なくとも一部を覆う金箔とを備えることを特徴とする。
【００１３】
そして、本発明によれば、粒子状のトルマリンと、永久磁石と、これらを収容するケーシングの少なくとも一部を覆う金箔とを備えるため、金箔による外観の美しさによって鎮静効果が得られるとともに、水または湯に対して永久磁石を介して磁気流体力を作用させることができ、さらに、金箔による血液循環効果、マイナスイオン効果、スーパーイオン効果によりトルマリンの効果を増強することができ、簡単な構成により、効率的に浴槽水等を活水化させることが可能となる。
【００１４】
前記活水装置において、前記ケーシングを、前記収容部に収容される前記粒子状のトルマリンより小径の開口部が複数穿設され、前記収容部と該ケーシングの外部とを連通させる網状部と、前記収容部内で前記永久磁石を支持する支持部とを有するように構成することができる。
【００１５】
この構成によれば、収容部に収容したトルマリン及び永久磁石と、ケーシングの外部とが網状部を介して連通するため、該ケーシングを浴槽等の中に載置すると、水または湯と、トルマリンとの接触が容易に行われるとともに、水または湯に対して永久磁石を介して磁気流体力を作用させることができるため、トルマリン及び永久磁石の活水機能を最大限に発揮させることができる。
【００１６】
前記活水装置において、前記ケーシングを、前記永久磁石の外側に、該永久磁石の磁力の遮蔽手段を備えるように構成することができる。これによって、例えば、２００ガウス以上の強力な永久磁石を用いた場合でも、入浴中の者に磁場によってもたらされる悪影響を防止することができる。
【００１７】
前記活水装置において、前記永久磁石の表面を覆う被覆手段を備えるように構成することができる。これによって、永久磁石が水または湯に直接触れることを防止し、水または湯への磁石の成分の溶出等を防止することができる。
【００１８】
前記粒子状のトルマリンは、トルマリン鉱石を破砕して２ｍｍ以上、５ｍｍ以下の粒径としたものとすることができる。多孔質のトルマリンを用いると、孔部に汚れが詰まったり、バクテリア等が繁殖するおそれがあるが、トルマリン鉱石を破砕することにより、多孔質ではないトルマリンが得られるため、上述のようなおそれがなく、粒径を２ｍｍ以上、５ｍｍ以下とすることにより、トルマリンと水等との接触面積を大きくすることができる。
【考案の効果】
【００１９】
以上のように、本発明によれば、簡単な構成により、効率的に浴槽水等を活水化させることなどが可能な活水装置を提供することができる。
【考案を実施するための最良の形態】
【００２０】
図１乃至図３は、本発明にかかる活水装置の一実施の形態を示し、この活水装置１は、図２に明示されるように、大別して、粒子状のトルマリン２と、永久磁石３と、ケーシング４と、永久磁石３の磁力の遮蔽手段としての合成樹脂板５と、永久磁石３の表面を覆う被覆手段としてのキャップ６等で構成される。
【００２１】
ケーシング４の収容部４ｊに収容されるトルマリン２には、トルマリン鉱石を破砕して２ｍｍ以上、５ｍｍ以下の粒径としたものを用いることができる。トルマリン鉱石を破砕したものを用いると、多孔質ではないため、バクテリア等の繁殖の心配がない。また、粒径を５ｍｍ以下とするのは、トルマリンと水等との接触面積を大きくするためである。但し、粉状にするとケーシング４の網状部４ｄからこぼれるおそれがあるため、２ｍｍ以上とすることが好ましい。また、ケーシング４の収容部４ｊには、活水装置１を浴槽中に入れ続けた際にバクテリアの集合体によって発生するぬめりを防止するため、２０グラム程度の銅片を収容する。
【００２２】
ケーシング４の収容部４ｊにおいて支持部４ｅで支持される永久磁石３は、円柱状に形成され、１０００ガウス以上の磁力を有するものを使用することが好ましい。１０００ガウスに達しない磁力のものでは、磁気流体力の作用が充分でないおそれもある。浴槽水の活水化に本活水装置１を用いる場合には、磁場が人体に与える悪影響を考慮すると、ケーシング４の磁力を大きくし過ぎると好ましくないが、後述の合成樹脂板５によって活水装置１の外部への磁力の漏洩を規制することができるため、２０００ガウス以上の永久磁石３を用いることも可能である。
【００２３】
ケーシング４は、図３に明示されるように、半割可能に構成され、樹脂等で一体に成形され、略々円形の側面４ａと、側面４ａの周囲に一体に形成された周辺部４ｂとで構成される。
【００２４】
側面４ａは、円板状の中央部４ｃと、中央部４ｃの周囲に位置し、網状に形成された網状部４ｄ等で構成され、中央部４ｃには、断面十文字の永久磁石３の支持部４ｅが立設される。また、網状部４ｄの外側の側面４ａ上には、ねじ孔を備えた円筒部４ｆが立設されるとともに、側面４ａの上部には、開口部４ｇを有するハンドル部４ｈが設けられ、側面４ａの下部には、後述する脚部を形成するための凹部４ｉが形成される。
【００２５】
上記形状を有するケーシング４の表裏両面には、金箔４ｋが貼着されている。この金箔４ｋは、メッキ等によって数μｍの厚さで貼着される。
【００２６】
図１及び図２に示した活水装置は、図３に示したケーシング４を左右対称にした１対の半割部材の収容部４ｊにトルマリン２を収容し、支持部４ｅに永久磁石３を内包したキャップ６を支持し、円筒部４ｆを介してねじ８で一体にして、本発明にかかる活水装置１を構成したものである。
【００２７】
永久磁石３の磁力の遮蔽手段としての無機質または有機質の合成樹脂板等（以下、「合成樹脂板」という）５は、中心部に直径５〜１０ｍｍ程度の孔の開いたレコード状に形成され、ケーシング４の内壁に貼着される。合成樹脂板等５をレコード状に形成するのは、合成樹脂板５及び支持部４ｅを成形する上で不可欠だからである。合成樹脂板５の板厚は、永久磁石３の磁力の大きさに応じて適宜変更し、活水装置１を浴槽水の活水化に用いた場合に、浴槽内の人体に悪影響を与えないように決定する。
【００２８】
キャップ６は、合成樹脂等で形成され、活水装置１を浴槽内に載置した場合に、永久磁石３が水または湯に直接触れることを防止し、水または湯への磁石の成分の溶出等を防止するために備えられる。
【００２９】
上記構成を有する活水装置１を浴槽内の水または湯の中に沈めると、網状部４ｄを介して収容部４ｊに収容したトルマリン２が水または湯と容易に接触することができる。また、水または湯に対して永久磁石３を介して磁気流体力を作用させることができるため、トルマリン２及び永久磁石３の活水機能を充分に発揮させることができる。さらに、ケーシング４の全面に金箔４ｋを貼着しているため、外観の美しさによって視覚的な鎮静効果が得られるとともに、血液循環効果、マイナスイオン効果、及びスーパーイオン効果により、トルマリンの効果を増強することができる。
【００３０】
次に、本発明にかかる活水装置の試験例について説明する。試験にあたって、活水装置として、ショールトルマリンを粒径２〜３ｍｍ程度に破砕したものと、永久磁石として１０００ガウスで、厚さ７ｍｍで直径３０ｍｍのものを、金箔を貼着したケーシングに収容したものを使用し、この活水装置を用いなかった場合とで、水道水の残留塩素濃度を挙動を比較した。
【００３１】
図４は、上記試験結果を示すグラフである。同グラフより明らかなように、本発明にかかる活水装置を用いると、放置水に比べ、水道水の残留塩素濃度が急速に低下することが判る。
【図面の簡単な説明】
【００３２】
【図１】本発明にかかる活水装置の一実施の形態を示す外観図であって、（ａ）は正面図、（ｂ）は上面図である。
【図２】図１の活水装置のＡ−Ａ線断面図である。
【図３】図１の活水装置の分解斜視図である。
【図４】本発明にかかる活水装置のようにトルマリン、永久磁石及び金箔を貼着したケーシングを用いた場合と、活水装置を用いなかった場合とで水道水の残留塩素濃度を比較したグラフである。
【符号の説明】
【００３３】
１  活水装置
２  トルマリン
３  永久磁石
４  ケーシング
４ａ  側面
４ｂ  周辺部
４ｃ  中央部
４ｄ  網状部
４ｅ  支持部
４ｆ  円筒部
４ｇ  開口部
４ｈ  ハンドル部
４ｉ  凹部
４ｊ  収容部
４ｋ  金箔
５  合成樹脂板
６  キャップ
８  ねじ
【図１】
0003114198.tif 000003
【図２】
0003114198.tif 000004
【図３】
0003114198.tif 000005
【図４】
0003114198.tif 000006